(57)【要約】【課題】炊飯器本体の後端部に外蓋が揺動自在に設けられ、この外蓋の内側に内蓋が着脱自在に取り付けられている炊飯器において、目視でもって容易に内蓋が未装着状態にあるか否かを確認できるようにして、内蓋の装着忘れを防止するとともに、器内を常に清潔に保つことができるようにする。【解決手段】本発明の炊飯器は、内蓋１４が外蓋１３に取り付けられた状態では外蓋１３を内蓋１４と共に炊飯器本体２に対して全閉状態に係止し、内蓋１４が外蓋１３から取り外された状態では外蓋１３を炊飯器本体２に対して半開き状態に係止する蓋係止状態切換手段２６を備えている。【選択図】  図３
2004337505.tif 000002
【特許請求の範囲】
【請求項１】
内鍋を収納する炊飯器本体と、この炊飯器本体の上部開口を覆う蓋体とを含み、前記蓋体は、前記炊飯器本体の後端部に回動自在に取り付けられて開方向に常時付勢されている外蓋と、この外蓋の内側に着脱自在に取り付けられた内蓋とを有する炊飯器において、
前記内蓋が外蓋に取り付けられた状態では前記外蓋を内蓋と共に前記炊飯器本体に対して全閉状態に係止し、前記内蓋が外蓋から取り外された状態では前記外蓋を前記炊飯器本体に対して半開き状態に係止する蓋係止状態切換手段を備えることを特徴とする炊飯器。
【請求項２】
前記蓋係止状態切換手段は、炊飯器本体の前方側上部に揺動可能に設けられた蓋開閉レバーと、前記外蓋の前端部から延設されて前記蓋開閉レバーに係合する蓋フック部と、この蓋フック部の上下方向の途中位置に形成された挿入孔と、前記内蓋の前端部に設けられて内蓋の外蓋への装着に応じて前記挿入孔を通じて前方に突出して前記蓋開閉レバーに係合するラッチ片と、を備えて構成していることを特徴とする請求項１に記載の炊飯器。
【請求項３】
前記内蓋の前端部にラッチ片ホルダを固定し、このラッチ片ホルダに前記ラッチ片を摺動自在に設けるとともに、前記ラッチ片とラッチ片ホルダとの間に復帰バネを介在させていることを特徴とする請求項２に記載の炊飯器。
【請求項４】
前記蓋係止状態切換手段は、炊飯器本体の前方側上部に揺動可能に設けられた蓋開閉レバーと、外蓋の前方内面側に上下動可能に設けられて前記蓋開閉レバーに係合する蓋フック部材と、前記外蓋と蓋フック部材との間に介在されて前記蓋フック部材を下に向けて付勢する圧縮バネとを備え、かつ、前記内蓋の外蓋への装着に応じて前記蓋フック部材が内蓋によって圧縮バネの力に抗して外蓋側に押圧されるように構成していることを特徴とする請求項１に記載の炊飯器。
【請求項５】
前記炊飯器本体および前記蓋開閉レバーの上面が共に面一になるように形成したことを特徴とする請求項４に記載の炊飯器。
【請求項６】
前記蓋係止状態切換手段は、外蓋の前方側上部に上下動可能に設けられた蓋開閉ボタンと、外蓋に揺動可能かつ上下移動可能に設けられて前記蓋開閉ボタンの操作に応じて前記炊飯器本体に係脱される蓋フック部材と、前記外蓋と蓋フック部材との間に介在されて前記蓋フック部材を下に向けて付勢する圧縮バネとを備え、かつ、前記内蓋の外蓋への装着に応じて前記蓋フック部材が内蓋によって前記圧縮バネの力に抗して外蓋側に押圧されるように構成していることを特徴とする請求項１に記載の炊飯器。
【請求項７】
前記蓋フック部材に支持ピンを取り付ける一方、前記外蓋には上下方向に沿った長穴が形成されたガイド部材を固定し、このガイド部材の前記長穴に前記支持ピンを嵌合していることを特徴とする請求項６に記載の炊飯器。
【発明の詳細な説明】
【０００１】
【発明の属する技術分野】
本発明は、電気炊飯器や炊飯ジャーなどの炊飯器に係り、特には、炊飯器本体の上部開口を覆う外蓋の下面側に内蓋が着脱自在に取り付けられている構造を有する炊飯器に関する。
【０００２】
【従来の技術】
従来のこの種の炊飯器としては、たとえば図１１に示す構成のものが提供されている（たとえば、特許文献１，２等参照）。この炊飯器は、内鍋１０１を収納する炊飯器本体１０２と、この炊飯器本体１０２の上部開口を覆う蓋体１０３とを備える。蓋体１０３は外蓋１０４と内蓋１０５とからなり、外蓋１０４は炊飯器本体１０２の後端部においてヒンジ１０６により回動自在に取り付けられるとともに、図示しないコイルバネによって開方向に常時付勢されている。また、内蓋１０５は、炊飯時に発生する御粘などが付着するので、手入れの容易なように外蓋１０４の内側に着脱自在に取り付けられている。さらに、炊飯時には蓋体１０３を炊飯器本体１０２に確実にロックするためのロック機構１１０が設けられている。
【０００３】
上記のロック機構１１０は、炊飯器本体１０２の前方側上部に設けられた蓋開閉レバー１１１と、外蓋１０４の前端部に設けられた蓋フック１１２とを備え、外蓋１０４と蓋フック１１２との間には図示しない圧縮バネが介在されている。そして、内蓋１０５が外蓋１０４に装着されたときには蓋フック１１２が圧縮バネのバネ力に抗して外蓋１０４の外周部から外方に突出する一方、内蓋１０５が外蓋１０４に装着されないときには蓋フック１１２が圧縮バネのバネ力によって外蓋１０４の外周部よりも内方に後退するように構成されている。
【０００４】
したがって、このような従来の炊飯器にあっては、内蓋１０５を外蓋１０４に装着した状態では蓋フック１１２が外蓋１０４よりも外方に突出しているので、蓋体１０３を閉じると蓋フック１１２が蓋開閉レバー１１１と係合して蓋体１０３が炊飯器本体１０２に係止される。一方、内蓋１０５を外蓋１０４から取り外しているときには、蓋フック１１２が外蓋１０４よりも内方に後退しているため、外蓋１０４を閉じても蓋フック１１２は蓋開閉レバー１１１と係合しないため外蓋１０４は全開状態になる。
【０００５】
【特許文献１】
特開２００２−９５５８０号公報（第１−３頁、図１−図５）
【特許文献２】
特開２００３−３８３４３号公報（第１−４頁、図１−図７）
【０００６】
【発明が解決しようとする課題】
このように、従来の炊飯器においては、内蓋１０５を外蓋１０４から取り外しているときには、常に外蓋１０４が全開状態になるため、内蓋１０５を外蓋１０４に装着するのを忘失したまま炊飯を開始するなどの不具合を防止できるという利点があるものの、次の点で未だ改善の余地がある。
【０００７】
▲１▼  内蓋１０５の手入れのために外蓋１０４から取り外しているときには、外蓋１０４が常に全開状態になるため、その間に内鍋１０１や炊飯器本体１０２内にゴミや塵等が侵入して不潔になり易い。
▲２▼  また、外蓋１０４が大きく開いていると、炊飯器の占有空間が大きくなるために、その周囲で調理などをする際に邪魔になり易く、また、見栄えも悪い。
【０００８】
本発明は、上記の課題を解決するためになされたもので、内蓋を外蓋から取り外しているとにきは、目視でもって容易に内蓋が未装着状態にあることを確認できるようにして内蓋の装着忘れを防止できるようにするとともに、内鍋や炊飯器本体の内部を常に清潔に保つことができる炊飯器を提供することを目的とする。
【０００９】
【課題を解決するための手段】
本発明は、上記の目的を達成するために、内鍋を収納する炊飯器本体と、この炊飯器本体の上部開口を覆う蓋体とを含み、蓋体は炊飯器本体の後端部に回動自在に取り付けられて開方向に常時付勢されている外蓋と、この外蓋の内側に着脱自在に取り付けられた内蓋とを有する炊飯器において、次の構成を採用している。
【００１０】
すなわち、本発明に係る炊飯器は、前記内蓋が外蓋に取り付けられた状態では前記外蓋を内蓋と共に前記炊飯器本体に対して全閉状態に係止し、前記内蓋が外蓋から取り外された状態では外蓋を前記炊飯器本体に対して半開き状態に係止する蓋係止状態切換手段を備えることを特徴としている。
【００１１】
これにより、内蓋を外蓋に装着すれば炊飯器本体に対して蓋体を全閉状態に保持できるため、炊飯することができる。一方、内蓋を外蓋に装着していない状態では、炊飯器本体に対して外蓋を半開きの状態に保持できるため、目視でもって容易に内蓋が未装着状態にあることを確認することができ、内蓋の装着忘れを防止することができる。また、内蓋の未装着状態では外蓋は半開き状態に保持されるため、内鍋や炊飯器本体内にゴミや塵等が侵入し難く、したがって器内を常に清潔に保つことができる。さらに、外蓋が大きく開かないので炊飯器の占有空間は小さくて済み、調理の際に邪魔にならず、見栄えも良い。
【００１２】
前記蓋係止状態切換手段としては、請求項２に記載するように、炊飯器本体の前方側上部に揺動可能に設けられた蓋開閉レバーと、前記外蓋の前端部から延設されて前記蓋開閉レバーに係合する蓋フック部と、この蓋フック部の上下方向の途中位置に形成された挿入孔と、前記内蓋の前端部に設けられて内蓋の外蓋への装着に応じて前記挿入孔を通じて前方に突出して前記蓋開閉レバーに係合するラッチ片と、を備えて構成することができる。これにより、炊飯器本体の前方側上部に蓋開閉ボタンを設けた構成の炊飯器に対して本発明を適用することが可能になる。
【００１３】
また、この場合において、内蓋の前端部にラッチ片ホルダを固定し、このラッチ片ホルダに前記ラッチ片を摺動自在に設けるとともに、前記ラッチ片とラッチ片ホルダとの間に復帰バネを介在させた構成とすることができる。これにより、内蓋を外蓋に対して着脱する際にラッチ片も蓋フック部の挿入孔に対して容易に係脱することができるため、内蓋の着脱が容易に行える。
【００１４】
さらに、前記蓋係止状態切換手段としては、請求項４に記載するように、炊飯器本体の前方側上部に揺動可能に設けられた蓋開閉レバーと、外蓋の前方内面側に上下動可能に設けられて前記蓋開閉レバーに係合する蓋フック部材と、前記外蓋と蓋フック部材との間に介在されて前記蓋フック部材を下に向けて付勢する圧縮バネとを備え、かつ、前記内蓋の外蓋への装着に応じて前記蓋フック部材が内蓋によって圧縮バネの力に抗して外蓋側に押圧されるように構成することができる。これにより、炊飯器本体の前方側上部に蓋開閉ボタンを設けた構成の炊飯器に対して本発明を適用することが可能になるとともに、内蓋の構成を何ら変更せずに、外蓋側の構造を一部変更するだけで蓋係止状態切換手段を構成することができるため、設計変更が容易でコスト削減を図ることができる。
【００１５】
また、この場合において、前記炊飯器本体および前記蓋開閉レバーの上面が共に面一になるように形成することが可能で、これにより、炊飯器本体の周囲部分が平坦面になって炊飯器の手入れが容易になる。
【００１６】
さらにまた、前記蓋係止状態切換手段としては、請求項６に記載するように、外蓋の前方側上部に上下動可能に設けられた蓋開閉ボタンと、外蓋に揺動可能かつ上下移動可能に設けられて前記蓋開閉ボタンの操作に応じて前記炊飯器本体に係脱される蓋フック部材と、前記外蓋と蓋フック部材との間に介在されて前記蓋フック部材を下に向けて付勢する圧縮バネとを備え、かつ、前記内蓋の外蓋への装着に応じて前記蓋フック部材が内蓋によって前記圧縮バネの力に抗して外蓋側に押圧されるように構成することができる。これにより、外蓋の前方側上部に蓋開閉ボタンを設けた構成の炊飯器に対しても、本発明を適用することが可能になる。
【００１７】
また、この場合において、前記蓋フック部材には支軸を取り付ける一方、前記外蓋には上下方向に沿った長穴が形成されたガイド部材を固定し、このガイド部材の前記長穴に前記支軸を嵌合した構成とすることができる。これにより、蓋開閉ボタンの操作による蓋体の開閉機能を何ら損なうことなく、内蓋を取り外した状態では外蓋を炊飯器本体に対して半開き状態に保持することができる。
【００１８】
【発明の実施の形態】
［実施の形態１］
図１は本発明の実施の形態１における電気炊飯器の全体を示す一部切欠側面図、図２は同炊飯器において蓋を閉じた状態を示す側面図である。また、図３は図２の状態における同炊飯器の要部を示す縦断面図、図４は同炊飯器において蓋が半開きの状態を示す側面図、図５は図４の状態における同炊飯器の要部を示す縦断面図である。
【００１９】
この実施の形態１における電気炊飯器は、内鍋１を収納する炊飯器本体２と、この炊飯器本体２の上部開口を覆う蓋体３とを備える。なお、４は炊飯器本体２に設けられた把手である。
【００２０】
炊飯器本体２は、内鍋１が着脱自在に装着される内ケース７と、この内ケース７の外側において内ケース７との間に所定の空間部を存して配置された外ケース８とを備えている。そして、内ケース７の外側には内鍋１加熱用の図示しない誘導コイルが配設されるとともに、内ケース７の上端部を外囲する状態でヒータリング９が配置され、このヒータリング９内に肩ヒータ１０が設けられている。
【００２１】
一方、蓋体３は外蓋１３と内蓋１４とからなる。外蓋１３は炊飯器本体２の後端部において支軸１５を有するヒンジ部１６を介して回動自在に取り付けられるとともに、支軸１５に巻回されたコイルバネ１７によって開方向に常時付勢されている。また、内蓋１４は、炊飯時に発生する御粘などが付着するため、手入れの容易なように外蓋１３の内側に着脱自在に設けられている。
【００２２】
すなわち、内蓋１４は、アルミ等からなる金属製の放熱板２０を有し、この放熱板２０の中央部に蒸気逃し穴２０ａが形成されるとともに、蒸気逃し穴２０ａを外囲して蒸気逃しリング２１が固定されている。そして、この蒸気逃しリング２１を外蓋１３に設けられた蒸気逃し弁２２の外周に差し込み嵌合することで内蓋１４が外蓋１３に着脱自在に取り付けられる。また、放熱板２０の外周部にはフランジ部２０ｂが形成され、このフランジ部２０ｂに蓋パッキン２３が装着されている。このため、蓋体３を閉じたときには蓋パッキン２３が内鍋１の上端のつば部１ａに当接する。なお、２４，２５は内蓋１４から外蓋１３へと蒸気が漏れるを防ぐためのシール部である。
【００２３】
この実施の形態１における電気炊飯器の特徴は、内蓋１４が外蓋１３に取り付けられた状態では外蓋１３を内蓋１４と共に炊飯器本体２に対して全閉状態に係止し、内蓋１４が外蓋１３から取り外された状態では外蓋１３を炊飯器本体２に対して半開き状態に係止する蓋係止状態切換手段２６を備えていることである。
【００２４】
すなわち、この実施の形態１における蓋係止状態切換手段２６は、炊飯器本体２の前方側上部に設けられた蓋開閉レバー２７、外蓋１３の前端部から下方に向けて一体に延設された蓋フック部１３ａ、および内蓋１４を構成する放熱板２０の前端部に設けられたラッチ片２８を主体に構成されている。
【００２５】
上記の蓋開閉レバー２７は、外ケース８に取り付けられ支軸２９によって揺動可能に支持されるとともに、この支軸２９に巻回されたバネ３０によって外蓋１３側に向かうように常時付勢されており、この蓋開閉レバー２７の後方側端部には保持爪２７ａが下方斜めに向けて屈曲形成されている。また、外蓋１３の前端部に設けられた蓋フック部１３ａは、その下側先端部分に蓋開閉レバー２７の保持爪２７ａに係合する鉤形の係合爪１３ｂを有し、さらに、蓋フック部１３ａの上下方向の途中位置にはラッチ片２８の挿入孔１３ｃが形成されている。
【００２６】
一方、放熱板２０のフランジ部２０ｂの前端部分にはラッチ片ホルダ３３がビス３４でかしめ止めされている。また、上記のラッチ片２８は、挿入孔１３ｃを通して前方側に突出する突出部２８ａ、外蓋１３前端の挿入孔１３ｃの周壁に当接するストッパ部２８ｂ、およびストッパ部２８ｂよりも後方側に位置する支持部２８ｃとからなる。そして、ラッチ片ホルダ３３に形成された凹所３３ａにラッチ片２８の支持部２８ｃが摺動自在に嵌合されるとともに、この支持部２８ｃと凹所３３ａとの間に復帰バネ３５が介在されている。
【００２７】
これにより、内蓋１４を外蓋１３に装着した状態では、ラッチ片２８の突出部２８ａが挿入孔１３ｃを通して蓋開閉レバー２７の保持爪２７ａに係合し、また、内蓋１４を取り外すときには、突出部２８ａを復帰バネ３５のバネ力に抗して後方に押し込むことでラッチ片２８が挿入孔１３ｃから外れる。このように、内蓋１４を外蓋１３に対して着脱する際、ラッチ片２８を蓋フック部１３ａに形成されている挿入孔１３ｃに対して容易に係脱できるので、内蓋１４の着脱が容易になる。
【００２８】
ここで、内蓋１４を外蓋１３に装着した状態では、図２および図３に示すように、ラッチ片２８の突出部２８ａが復帰バネ３５のバネ力によって挿入孔１３ｃを通じて前方に突出している。このため、外蓋１３を閉じてから手を離すと、このラッチ片２８の突出部２８ａが蓋開閉レバー２７の保持爪２７ａによって係止されるので、外蓋１３は内蓋１４と共に全閉状態に保持される。その際、内蓋１４の蓋パッキン２３が内鍋１の上端のつば部１ａに当接して内鍋１内が閉鎖されるため炊飯を行うことができる。なお、図２および図３に示した状態において、蓋開閉レバー２７を操作してラッチ片２８の突出部２８ａとの係合を解除すれば、外蓋１３は内蓋１４と共にヒンジ部１６に設けられたコイルバネ１７のバネ力によって全開される。
【００２９】
一方、内蓋１４を外蓋１３から取り外している状態では、図４および図５に示すように、外蓋１３を一旦閉じてから手を離すと、外蓋１３の蓋フック部１３ａ先端にある係合爪１３ｂが蓋開閉レバー２７の保持爪２７ａによって係止されるため、外蓋１３が炊飯器本体２に対して一定角度θ１だけ開いた半開きの状態に保持される。
【００３０】
したがって、目視でもって容易に内蓋１４が未装着状態にあることを確認することができ、内蓋１４の装着忘れを防止することができる。また、その際、内鍋１や炊飯器本体２内にゴミや塵等が侵入し難く、器内を常に清潔に保つことができる。さらに、外蓋１３が大きく開かないので炊飯器の占有空間は小さくて済み、調理の際に邪魔にならず、見栄えも良い。なお、図４および図５に示した状態において、蓋開閉レバー２７を操作して蓋フック部１３ａの係合爪１３ｂとの係合を解除すれば、外蓋１３はヒンジ部１６に設けたコイルバネ１７のバネ力によって全開される。
【００３１】
［実施の形態２］
図６は本発明の実施の形態２における電気炊飯器において蓋が全閉状態にあるときの要部を示す縦断面図、図７は同炊飯器において蓋が半開きの状態にあるときの要部を示す縦断面図であり、図１ないし図５に示した実施の形態１と対応する構成部分には同一の符号を付す。
【００３２】
この実施の形態２においても、実施の形態１の場合と同様に、蓋係止状態切換手段３８を備えているが、その構成が実施の形態１の場合と異なっている。
【００３３】
すなわち、この実施の形態２における蓋係止状態切換手段３８は、炊飯器本体２の前方側上部に設けられた蓋開閉レバー２７、外蓋１３の前方内面側において上下動可能に設けられた蓋フック部材３９、および外蓋１３の内面部と蓋フック部材３９との間に介在されて蓋フック部材３９を下に向けて付勢する圧縮バネ４０を主体に構成されている。
【００３４】
上記の蓋開閉レバー２７は、実施の形態１の場合と同様、外ケース８に取り付けられ支軸２９によって揺動可能に支持されるとともに、この支軸２９に巻回されたバネ３０によって外蓋１３側に向かうように常時付勢されており、この蓋開閉レバー２７の後方側端部には保持爪２７ａが形成されている。
【００３５】
一方、上記の蓋フック部材３９は、水平配置された内蓋当接部３９ａと、この内蓋当接部３９ａと直交するアーム部３９ｂとで逆Ｌ字形に一体形成されており、内蓋当接部３９ａの上面と外蓋１３の前方内面との間に前述の圧縮バネ４０が介在されている。また、アーム部３９ｂは外蓋１３に形成された挿通孔１３ｄを通じて下方に突出しており、その突出部分の下端に蓋開閉レバー２７の保持爪２７ａと係合する鉤形の係合爪３９ｃが形成されている。そして、内蓋１４を外蓋１３に装着したときには、これに応じて蓋フック部材３９の内蓋当接部３９ａが内蓋１４を構成する放熱板２０のフランジ部２０ｂによって圧縮バネ４０の力に抗して外蓋１３側に押圧されるようになっている。
【００３６】
また、この実施の形態２では、炊飯器本体２の外ケース８と内ケース７、および蓋開閉レバー２７の各々の上面が共に面一になるように形成されており、これによって、炊飯器の手入れを容易に行えるように構成されている。
【００３７】
さらに、この実施の形態２では、実施の形態１の場合と比較すると、蓋係止状態切換手段３８を構成するためには、内蓋１４は従来品の構造を変更せずに、外蓋１３に対してのみ蓋フック部材３９や圧縮バネ４０を設けるだけでよいので、設計変更が容易でコスト削減を図ることができる。
【００３８】
その他の構成は、実施の形態１の場合と同様であるから、ここでは詳しい説明は省略する。
【００３９】
ここで、内蓋１４を外蓋１３に装着した状態では、図６に示すように、蓋フック部材３９の内蓋当接部３９ａが放熱板２０のフランジ部２０ｂによって外蓋１３側に向けて押圧されているため、圧縮バネ４０は縮んだ状態に保持される。このため、蓋フック部材３９の係合爪３９ｃは外蓋１３の下面に対して近接した位置にある。ここで、外蓋１３を閉じてから手を離すと、この蓋フック部材３９の係合爪３９ｃが蓋開閉レバー２７の保持爪２７ａによって係止され、外蓋１３は内蓋１４と共に全閉状態に保持される。その際、放熱板２０に取り付けられた蓋パッキン２３が内鍋１の上端のつば部１ａに当接して内鍋１内が閉鎖されるため炊飯を行うことができる。なお、図６に示した状態で蓋開閉レバー２７を操作して蓋フック部材３９の係合爪３９ｃとの係合を解除すれば、外蓋１３は内蓋１４と共にヒンジ部１６に設けられたコイルバネ１７のバネ力によって全開される。
【００４０】
一方、内蓋１４を外蓋１３から取り外している状態では、図７に示すように、蓋フック部材３９の内蓋当接部３９ａは放熱板２０のフランジ部２０ｂによって押圧されていないので、圧縮バネ４０は下方に向けて伸長し、その結果、蓋フック部材３９の係合爪３９ｃは外蓋１３の下面に対して所定距離Ｌ２だけ離間した位置にある。したがって、外蓋１３を一旦閉じてから手を離すと、蓋フック部材３９の係合爪３９ｃが蓋開閉レバー２７の保持爪２７ａによって係止されるため、外蓋１３が炊飯器本体２に対して半開きの状態に保持される。
【００４１】
したがって、目視でもって容易に内蓋１４が未装着状態にあることを確認することができ、内蓋１４の装着忘れを防止することができる。また、その際、内鍋１や炊飯器本体２内にゴミや塵等が侵入し難く、器内を常に清潔に保つことができる。さらに、外蓋１３が大きく開かないので炊飯器の占有空間は小さくて済み、調理の際に邪魔にならず、見栄えも良い。なお、図７に示した状態で蓋開閉レバー２７を操作して蓋フック部材３９の係合爪３９ｃとの係合を解除すれば、外蓋１３は内蓋１４と共にヒンジ部１６に設けられたコイルバネ１７のバネ力によって全開される。
【００４２】
［実施の形態３］
図８は本発明の実施の形態３における電気炊飯器において蓋が全閉状態にあるときの要部を示す縦断面図、図９は同炊飯器において蓋が半開きの状態にあるときの要部を示す縦断面図であり、図１ないし図５に示した実施の形態１と対応する構成部分には同一の符号を付す。
【００４３】
この実施の形態３においても、実施の形態１，２の場合と同様に、蓋係止状態切換手段４２を備えているが、その構成が実施の形態１，２の場合と異なっている。
【００４４】
すなわち、この実施の形態３における蓋係止状態切換手段４２は、外蓋１３の前方側上部に設けられた蓋開閉ボタン４３、外蓋１３の前方内面側において上下動可能かつ揺動可能に設けられた蓋フック部材４４、蓋フック部材４４を下に向けて付勢する圧縮バネ４５、および蓋フック部材４４の動きを規制するガイド部材４９を主体に構成されている。
【００４５】
上記の蓋開閉ボタン４３は、押圧操作される操作部４３ａとこの操作部４３ａから下方に延出された足部４３ｂとが一体形成されてなる。そして、蓋開閉ボタン４３の操作部４３ａが外蓋１３の前方側上部に形成された凹部１３ｅに嵌合され、また、足部４３ｂが凹部１３ｅの底部に形成されたガイド孔１３ｆを貫通して下方に突出している。さらに、凹部１３ｅの内底面と蓋開閉ボタン４３の操作部４３ａとの間には復帰バネ４６が介在されている。
【００４６】
上記のガイド部材４９は、外蓋１３の内面部に左右一対配設されており、各ガイド部材４９には上下方向に沿った長穴４９ａが形成されている。また、蓋フック部材４４は、平板状のレバー部４４ａと、このレバー部４４ａと直交するアーム部４４ｂとで逆Ｌ字形に一体形成されており、レバー部４４ａの上面と外蓋１３の凹部１３ｅの底部との間に前述の圧縮バネ４５が介在されている。また、アーム部４４ｂの下端には炊飯器本体２の外ケース８の上端部に設けられた係合突起８ａと係合する鉤形の係合爪４４ｃが形成されている。さらに、蓋フック部材４４のレバー部４４ａには支持ピン５０が一体に取り付けられており、この支持ピン５０が左右に配置されたガイド部材４９の長穴４９ａに挿通されている。そして、内蓋１４を外蓋１３に装着したときには、これに応じて蓋フック部材４４のレバー部４４ａが内蓋１４を構成する放熱板２０のフランジ部２０ｂによって圧縮バネ４５の力に抗して外蓋１３側に押圧されて蓋開閉ボタン４３の足部４３ｂに当接するようになっている。
【００４７】
その他の構成は、実施の形態１の場合と同様であるから、ここでは詳しい説明は省略する。
【００４８】
ここで、内蓋１４を外蓋１３に装着した状態では、図８に示すように、蓋フック部材４４のレバー部４４ａが放熱板２０のフランジ部２０ｂによって外蓋１３側に押圧されているため、圧縮バネ４５は縮んだ状態に保持されている。このため、蓋フック部材３９の係合爪３９ｃは外蓋１３の下面に対して近接した位置にある。したがって、外蓋１３を閉じてから手を離すと、蓋フック部材４４の係合爪４４ｃが外ケース８の係合突起８ａによって係止されるため、外蓋１３は内蓋１４と共に全閉状態に保持される。その際、放熱板２０に取り付けられた蓋パッキン２３が内鍋１の上端のつば部１ａに当接して内鍋１内が閉鎖されるため炊飯を行うことができる。
【００４９】
なお、図６に示した状態において、蓋開閉ボタン４３を下方に押すと、その足部４３ｂが蓋フック部材４４のレバー部４４ａを押圧し、これに伴って放熱板２０および蓋パッキン２３が僅かに撓んで変形するため、蓋フック部材４４が支持ピン５０を中心にして回動し、蓋フック部材４４の係合爪４４ｃと外ケース８の係合突起８ａとの係合が解除される。その結果、外蓋１３は内蓋１４と共にヒンジ部１６に設けられたコイルバネ１７のバネ力によって全開される。
【００５０】
一方、内蓋１４を外蓋１３から取り外している状態では、図９に示すように、蓋フック部材４４のレバー部４４ａは放熱板２０のフランジ部２０ｂによって押圧されていないので、圧縮バネ４５は伸長し、その結果、蓋フック部材４４は、支持ピン５０がガイド部材４９の長穴４９ａに沿った状態で下方に向けて所定距離Ｌ３だけ移動する。そして、外蓋１３を一旦閉じてから手を離すと、蓋フック部材４４の係合爪４４ｃが外ケース８の係合突起８ａによって係止されるため、外蓋１３が炊飯器本体２に対して半開きの状態に保持される。
【００５１】
したがって、目視でもって容易に内蓋１４が未装着状態にあることを確認することができ、内蓋１４の装着忘れを防止することができる。また、その際、内鍋１や炊飯器本体２内にゴミや塵等が侵入し難く、器内を常に清潔に保つことができる。さらに、外蓋１３が大きく開かないので炊飯器の占有空間は小さくて済み、調理の際に邪魔になることがなく、見栄えも良い。
【００５２】
なお、図９に示す状態において、蓋開閉ボタン４３を下方に押すと、復帰バネ４６が縮んで足部４３ｂが蓋フック部材４４のレバー部４４ａの上面を押圧するので、蓋フック部材４４が支持ピン５０を中心にして回動する結果、蓋フック部材４４の係合爪４４ｃと外ケース８の係合突起８ａとの係合が解除される。このため、外蓋１３は、ヒンジ部１６に設けられたコイルバネ１７のバネ力によって全開される。
【００５３】
なお、上記の実施の形態１〜３においては、内蓋１４は、その蒸気逃しリング２１を外蓋１３の蒸気逃し弁２２の外周に差し込み嵌合することで外蓋１３に一体的に固定されるようにしているが、図１０に示すように、内蓋１４の後端部に係止片５２をそれぞれ突設し、その係止片５２を外蓋１３に設けた図示しない保持穴に差し込んで固定する構造のものにも本発明を適用することができる。また、本発明を電気炊飯器に適用した場合について説明したが、これに限らず炊飯ジャーにも適用できるのは勿論である。
【００５４】
さらに、本発明の各蓋係止状態切換手段２６，３８，４２は、上記の実施の形態１〜３で示した構成のものに限定されるものではなく、本発明の趣旨を逸脱しない範囲で適宜に変更して実施することができるのは言うまでもない。
【００５５】
【発明の効果】
本発明に係る炊飯器は、内蓋を外蓋に装着すれば炊飯器本体に対して蓋体を全閉状態にできるため、炊飯を行うことができる。一方、内蓋を外蓋に装着していない状態では炊飯器本体に対して外蓋を半開きの状態に保持できるため、目視でもって容易に内蓋が未装着状態にあることを確認することができ、内蓋の装着忘れを防止することができる。また、内蓋の未装着状態では外蓋を半開き状態に保持できるため、内鍋や炊飯器本体内にゴミや塵等が侵入し難く、したがって器内を常に清潔に保つことができる。さらに、外蓋が大きく開かないので炊飯器の占有空間は小さくて済み、調理の際に邪魔にならず、見栄えも良い。
【００５６】
特に、請求項２記載の発明に係る構成にすると、炊飯器本体の前方側上部に蓋開閉ボタンを設けた構成の場合にも本発明を適用することが可能になる。この場合、さらに請求項３記載の構成を採用すれば、内蓋を外蓋に対して着脱する際にラッチ片も蓋フック部の挿入孔に対して容易に係脱できるため、内蓋の着脱が容易になる。
【００５７】
また、請求項４記載の発明に係る構成にすると、請求項２記載の発明と同様に炊飯器本体の前方側上部に蓋開閉ボタンを設けた構成の炊飯器に対して本発明を適用できるだけでなく、内蓋の構成を何ら変更せずに、外蓋側の構造を一部変更するだけで蓋係止状態切換手段を構成することができるため、設計変更が容易でコスト削減を図ることができる。この場合、さらに請求項５記載の構成を採用すれば、炊飯器本体の周囲部分が平坦面になるため、炊飯器の手入れを容易に行うことができる。
【００５８】
さらにまた、請求項６記載の発明に係る構成にすると、外蓋の前方側上部に蓋開閉ボタンを設けた構成の炊飯器に対しても、本発明を適用することが可能になる。この場合、さらに請求項７記載の構成を採用すれば、蓋開閉ボタンの操作による蓋体の開閉機能を何ら損なうことなく、内蓋を取り外した状態では外蓋を炊飯器本体に対して半開き状態に保持することができる。
【図面の簡単な説明】
【図１】本発明の実施の形態１における電気炊飯器の全体を示す一部切欠側面図である。
【図２】同炊飯器において蓋が全閉状態にあるときの側面図である。
【図３】図２の状態における同炊飯器の要部を拡大して示す縦断面図である。
【図４】同炊飯器において蓋が半開きの状態を示す側面図である。
【図５】図４の状態における同炊飯器の要部を示す縦断面図である。
【図６】本発明の実施の形態２における電気炊飯器において蓋が全閉状態にあるときの要部を示す縦断面図である。
【図７】同炊飯器において蓋が半開きの状態にあるときの要部を示す縦断面図である。
【図８】本発明の実施の形態３における電気炊飯器において蓋が全閉状態にあるときの要部を示す縦断面図である。
【図９】同炊飯器において蓋が半開きの状態にあるときの要部を示す縦断面図である。
【図１０】本発明の変形例に係る内蓋の斜視図である。
【図１１】従来の電気炊飯器の構成を示す側面図である。
【符号の説明】
１…内鍋、２…炊飯器本体、７…内ケース、８…外ケース、１３…外蓋、１３ａ…蓋フック部、１３ｃ…挿入孔、１４…内蓋、１６…ヒンジ部、２０…放熱板、２６…蓋係止状態切換手段、２７…蓋開閉レバー、２８…ラッチ片、３８…蓋係止状態切換手段、３３…ラッチ片ホルダ、３５…復帰バネ、３９…蓋フック部材、４０…圧縮バネ、４２…蓋係止状態切換手段、４３…蓋開閉ボタン、４４…蓋フック部材、４５…圧縮バネ、４９…ガイド部材、４９ａ…長穴、５０…支持ピン。
【図１】
2004337505.tif 000003
【図２】
2004337505.tif 000004
【図３】
2004337505.tif 000005
【図４】
2004337505.tif 000006
【図５】
2004337505.tif 000007
【図６】
2004337505.tif 000008
【図７】
2004337505.tif 000009
【図８】
2004337505.tif 000010
【図９】
2004337505.tif 000011
【図１０】
2004337505.tif 000012
【図１１】
2004337505.tif 000013